(57)【要約】      （修正有）【課題】鞘管シームの突起や、手摺支柱の表面の凹凸を極力避けることで、手摺のガタ付きを防ぐことができる仮設手摺用スリーブを提供する。【解決手段】テーパ状の外周面をもつ中空軸体１０にして、その内部に仮設手摺の手摺支柱が挿入されるようにした仮設手摺用スリーブにおいて、中空軸体の周面に縦リブ１７を間隔を存して形成した。【選択図】図１
0003204414.tif 000002
【実用新案登録請求の範囲】
【請求項１】
テーパ状の外周面をもつ中空軸体にして、その内部に仮設手摺の手摺支柱が挿入されるようにした仮設手摺用スリーブにおいて、該中空軸体の周面に縦リブを間隔を存して形成したことを特徴とする仮設手摺用スリーブ。
【請求項２】
縦リブは中空軸体の内周面に形成する請求項１記載の仮設手摺用スリーブ。
【請求項３】
縦リブは中空軸体の外周面にも形成する請求項１または請求項２記載の仮設手摺用スリーブ
【請求項４】
中空軸体の内周面に形成する縦リブは下向きに傾斜する上端面と直線状に下降する接合面を有する請求項１ないし請求項３のいずれかに記載の仮設手摺用スリーブ。
【請求項５】
中空軸体は、テーパ状の内周面・外周面のテーパ部とその下方に連続する内周面・外周面ともに直状とした胴体裾部からなる請求項１ないし請求項４のいずれかに記載の仮設手摺用スリーブ。
【考案の詳細な説明】
【技術分野】
【０００１】
本考案は、建築工事などに際し躯体の各部に仮設される仮設手摺に適用する仮設手摺用スリーブに関するものである。
【背景技術】
【０００２】
一般に、コンクリート建造物などの建築工事に際し、躯体の各部には転落を防止するべく手摺を仮設している。
【０００３】
図１０はその１例を示すもので、鉄骨や型枠などにて構築した床面１と床面１より鉛直方向に延びる柱２とで囲まれる開口空間に転落防止用として設置される仮設手摺の設置例である。
【０００４】
仮設手摺３は、方形状の枠部４と該枠部より下方に延びる一対の手摺支柱５で構成され、その手摺支柱５を躯体の床面１に固定した鞘管６の内部に挿入して躯体の各部に仮設される。
【０００５】
なお、枠部４は上下の桁材７Ａを補強材７Ｂで結合し、両側で桁材７ＡにＵ字管８を摺動自在に嵌合した枠体７で、Ｕ字管８を柱２の間隔に合わせて伸縮させることができる。また、手摺支柱５は一方を枠部４に固定するとともに他方を枠部７に摺動自在に取り付けて鞘管６の間隔に調節することができる。
【０００６】
このように仮設手摺３は躯体に固定した鞘管６の内部に手摺支柱５を挿入して仮設されるが、躯体の床面にコンクリートを打設したときに、コンクリートが鞘管の内部に流入するなどしてその撤去が困難になることがある。
【０００７】
これに対しては鞘管６をその上端がコンクリートの仕上げ面（スラブ表面）よりも十分高く突出するように、必要以上に長い筒状体を固着立設して、筒状体と手摺支柱との間の隙間にコンクリートが侵入しないようにするか、又はコンクリート内に埋まる程度の短い筒状体を固着しておいて、当該筒状体の上端とそれよりも上方に突出している手摺支柱との間にわたってガムテーブなどを巻付けてコンクリートが筒状体と手摺支柱との間の隙間に入り込むのを防止することが考えられる。
【０００８】
しかしながら、前者の長い筒状体を使用するときは、手摺支柱を抜き取って手摺りを除去した後に、コンクリートスラブ表面から突出している筒状体の上端部を切断除去する必要があり、多大の手間と時間を要するので実用的でなく、後者のガムテープ巻付け方法でも、このガムテープの巻付けに多大の手間と時間がかかり、実用性に問題がある。
【０００９】
下記特許文献は、特にコンクリートを打設した後でもその部分に仮設した仮設手摺を容易に撤去することのできる仮設手摺用スリーブとして先に出願人が提案したもので、図１１、図１２に示すように、合成樹脂製の中空軸体１０で成り、仮設手摺３の手摺支柱５と鞘管６との間に介在される仮設手摺用スリーブが使用され、一端側を裾部１１として他端側にテーパ部１２を形成し、その内部に仮設手摺の手摺支柱５が挿入されるようにした。
【特許文献１】登録実用新案公報  第３０４２５７３号
【００１０】
前記合成樹脂製の中空軸体１０はポリ塩化ビニルやポリスチレンなどの熱可塑性樹脂または熱硬化性樹脂などの合成樹脂で一体成形されており、テーパ部１２と、その下の円筒部１３と、さらに円筒部１３の下側の裾部１１とから構成される。
【００１１】
裾部１１は円筒形にした円筒部１３の一端面よりその軸方向に一定の間隔で割溝１４を形成し、その部位は内側に隆起させて隆起部１６とし、その割溝の相互間に形成される舌片１５に所定の弾力を付与している。
【００１２】
そして、仮設手摺の手摺支柱５を支持する鞘管６の内部に、中空軸体１０がその裾部１１より挿入されてテーパ部１２の先端が鞘管６の上端縁に密着される。
【００１３】
なお、仮設手摺を設置した後、その設置部分に鞘管６の上方までコンクリートが打設されるが、鞘管６の内部へのコンクリートの流入は中空軸体１０にて防止される。
【００１４】
従って、コンクリートの固化後にあって、仮設手摺の手摺支柱５を鞘管６から容易に引き抜くことができる。また、中空軸体１０もテーパ部１２の先端を下向きにしてその外周面１２ａがコンクリートＣと接しているからコンクリートとの接触力が弱く容易に引き抜ける。
【考案の概要】
【考案が解決しようとする課題】
【００１５】
前記仮設手摺用スリーブでは、合成樹脂製の中空軸体１０と仮設手摺の手摺支柱５の外周との間の隙間を大きくすると、手摺りがぐらついて安定性が悪く、隙間を小さくすると仮設手摺の手摺支柱５を合成樹脂製の中空軸体１０に嵌入させたり、抜き出したりするのに手間がかかるという問題がある。
【００１６】
また、手摺支柱５の表面も仮設手摺がリース品の為、メッキや塗装の凹凸、ゴミや汚れ、全体的な楕円変形などありこちらも綺麗な表面ではない。
【００１７】
図１３に鞘管６を示すが、鞘管６の内面には鋼管の長手に溶接継目（シーム）６ａが突起としてあり綺麗な内面ではない。
【００１８】
前記仮設手摺用スリーブではその表面に内面・外面ともに面で接する様な形状であり、そのためある程度のクリアランスをもうけないと手摺支柱が嵌らないので製品寸法に余裕を持たせている。その結果手摺のガタ付きを防ぐことができない。
【００１９】
本考案の目的は前記従来例の不都合を解消し、鞘管シームの突起や、手摺支柱の表面の凹凸を極力避けることで、手摺のガタ付きを防ぐことができる仮設手摺用スリーブを提供することにある。
【課題を解決するための手段】
【００２０】
前記目的を達成するため請求項１記載の本考案は、テーパ状の外周面をもつ中空軸体にして、その内部に仮設手摺の手摺支柱が挿入されるようにした仮設手摺用スリーブにおいて、該中空軸体の周面に縦リブを間隔を存して形成したことを要旨とするものである。
【００２１】
請求項１記載の本考案によれば、中空軸体の周面に縦リブを間隔を存して形成したことにより、仮設手摺用スリーブは相手方表面に対して面でなく、点もしくは線で接触することになり、その結果、鞘管シームの突起や手摺支柱の凹凸を極力避けられるようになり、ガタツキを押えられるようになる。
【００２２】
また、縦リブを間隔を存して形成したことにより、中空軸体の強度が増し、樹脂製品としての肉厚も抑えられるので、材料費のコストダウンを実現できる。
【００２３】
請求項２記載の本考案は、縦リブは中空軸体の内周面に形成することを要旨とするものである。
【００２４】
請求項２記載の本考案によれば、中空軸体の内周面は内部に挿入される仮設手摺の手摺支柱が接するものであり、この部分に縦リブを間隔を存して形成したことにより、手摺支柱の凹凸を極力避けられるようになり、ガタツキを押えられるようになる。
【００２５】
請求項３記載の本考案は、縦リブは中空軸体の外周面にも形成することを要旨とするものである。
【００２６】
請求項３記載の本考案によれば、中空軸体の外周面は仮設手摺用スリーブが鞘管に挿入されて、鞘管内周面と接するものであり、この部分にも縦リブを間隔を存して形成したことにより、鞘管シームの突起を極力避けられるようになり、ガタツキを押えられるようになる。
【００２７】
請求項４記載の本考案は、中空軸体の内周面に形成する縦リブは下向きに傾斜する上端面と直線状に下降する接合面を有することを要旨とするものである。
【００２８】
請求項４記載の本考案によれば、中空軸体の内周面に形成する縦リブは下向きに傾斜する上端面を有することで、挿入開口が拡径されるものとなり手摺支柱を差し入れ易く、その後縦リブは直線状に下降することで、手摺支柱を直立させてその外周と接合することができる。
【００２９】
請求項５記載の本考案は、中空軸体は、テーパ状の内周面・外周面のテーパ部とその下方に連続する内周面・外周面ともに直状とした胴体裾部からなることを要旨とするものである。
【００３０】
請求項５記載の本考案によれば、中空軸体を周面に縦リブを間隔を存して形成し易い形状として、テーパ状の内周面・外周面のテーパ部とその下方に連続する内周面・外周面ともに直状とした胴体裾部からなるようにしたものであり、テーパ部においては縦リブは下向きに傾斜する上端面と直線状に下降する接合面を有するものとして設けることができ、また、胴体裾部は内周面・外周面ともに直状なので、縦リブを大きく張り出さずに設けることができる。
【考案の効果】
【００３１】
以上述べたように本考案の仮設手摺用スリーブは、鞘管シームの突起や、手摺支柱の表面の凹凸を極力避けることで、手摺のガタ付きを防ぐことができるものである。
【考案を実施するための形態】
【００３２】
以下、本考案の実施の形態を図面に基づいて詳細に説明する。図１は本考案の仮設手摺用スリーブの第１実施形態を示す縦断側面図、図２は同上平面図、図３は同上側面図で、前記従来例を示す図１１、図１２と同一構成要素には同一参照符号を付したものである。
【００３３】
本考案に係る仮設手摺用スリーブも仮設手摺３の手摺支柱５と鞘管６との間に介在されるものとしてポリ塩化ビニルやポリスチレンなどの熱可塑性樹脂または熱硬化性樹脂などの合成樹脂で一体成形された合成樹脂製の中空軸体１０で成る。
【００３４】
該中空軸体１０はテーパ状の内周面・外周面のテーパ部１２と、その下側の円筒胴体と裾部とからなる胴体裾部１９とから構成され、テーパ部１２は胴体裾部１９の上端に連ねてテーパ状に広げられていて、上端に外向きフランジ１２ｂを形成した。
【００３５】
胴体裾部１９は内周面・外周面ともに直状としたもので、上部円筒胴部の一端面よりその軸方向に一定の間隔で割溝１４を形成し、その割溝１４の相互間に形成される舌片１５に所定の弾力を付与している。
【００３６】
本考案は中空軸体１０の内周面、すなわちテーパ部１２の内側に線状突条による縦リブ１７を等間隔を存して形成した。縦リブ１７は中空軸体１０の成形の際に一体成形するものであり、図示の例では９０°間隔で、４個が並ぶ。
【００３７】
前記縦リブ１７は下向きに傾斜する上端面１７aとこの上端面１７aから直線状に下降する接合面１７ｂとを有する不等辺三角形状のものである。
【００３８】
図５〜図９は本考案の仮設手摺用スリーブの第２実施形態を示すもので、前記中空軸体１０の内周面の内側の縦リブ１７はこれを中空軸体１０の下端、裾部１１まで延設するものとし、また、縦リブ１７の配置も相互の間隔が平面視で４５°間隔、計８個を設けた。
【００３９】
さらに、中空軸体１０の外周面、胴体裾部１１の外側面にも線状突条による縦リブ１８を一体的に形成した。この縦リブ１８の形成位置は前記縦リブ１７の形成位置に対応させて設けることが望ましい。
【００４０】
図８に示すように本考案の仮設手摺用スリーブは仮設手摺の手摺支柱５を支持する鞘管６の内部に、中空軸体１０がその胴体裾部１１より挿入されてテーパ部１２が鞘管６の上端から上に出る。また、中空軸体１０の内部にその上部より仮設手摺の手摺支柱５を挿入するのであり、これにより仮設手摺３を設置することができる。
【００４１】
鞘管６に本考案の仮設手摺用スリーブを挿入するには胴体裾部１１が挿入される。
【００４２】
前記図５〜図９に示す第２実施形態では胴体裾部１１の外側面の縦リブ１８が鞘管６の内周面に接し、溶接継目（シーム）６ａを避けることができる。
【００４３】
また、前記第１実施形態、第２実施形態ともに、中空軸体１０の内部に挿入する手摺支柱５の外周面には中空軸体１０の内周面の縦リブ１７が接する。
【００４４】
なお、仮設手摺を設置した後、その設置部分に鞘管６の上方までコンクリートが打設されるが、鞘管６の内部へのコンクリートの流入は中空軸体１０にて防止される。
【００４５】
従って、コンクリートの固化後にあって、仮設手摺の手摺支柱５を鞘管６から容易に引き抜くことができる。また、中空軸体１０もテーパ部１２は鞘管６の上部に出ているので容易に引き抜ける。
【００４６】
以上、本考案の好適な一例を説明したが、本願に係る仮設手摺用スリーブは図１１で示す仮設手摺３に限らず、種々の手摺の仮設に適用でき、また、中空軸体１０自体の寸法を代えることにより、特に手摺支柱５の径が外形φ４２．７ｍｍの場合といわゆる単管パイプと称せされる外形φ４８．６ｍｍのいずれにも対応できる。
【図面の簡単な説明】
【００４７】
【図１】本考案の仮設手摺用スリーブの第１実施形態を示す縦断側面図である。
【図２】本考案の仮設手摺用スリーブの第１実施形態を示す平面図ある。
【図３】本考案の仮設手摺用スリーブの第１実施形態を示す側面図である。
【図４】本考案の仮設手摺用スリーブの第２実施形態を示すもので、図５のＡ−Ｂ−Ｃ線組合せ断面図である。
【図５】本考案の仮設手摺用スリーブの第２実施形態を示す平面図である。
【図６】本考案の仮設手摺用スリーブの第２実施形態を示す斜視図である。
【図７】本考案の仮設手摺用スリーブの第２実施形態を示す側面図である。
【図８】第２実施形態での本考案の仮設手摺用スリーブの使用状態を示す斜視図である。
【図９】第２実施形態での本考案の仮設手摺用スリーブの使用状態を示す縦断側面図である。
【図１０】建物の躯体に仮設手摺を設置した状態を示す斜視図である。
【図１１】従来例を示す斜視図である。
【図１２】従来例を示す縦断側面図である。
【図１３】鞘管の斜視図である。
【符号の説明】
【００４８】
１…  床面                                ２…柱
３…仮設手摺                              ４…枠部
５…手摺支柱                              ６…鞘管
６ａ…溶接継目（シーム）
７…枠体                                  ７Ａ…桁材
７Ｂ…補強材                              ８…Ｕ字管
１０…中空軸体                            １１…裾部
１２…テーパ部                            １２ａ…外周面
１２ｂ…外向きフランジ                    １３…円筒部
１４…割溝                                １５…舌片
１６…隆起部
１７…縦リブ                              １７a…上端面
１７ｂ…接合面                            １８…縦リブ
１９…胴体裾部
【図１】
0003204414.tif 000003
【図２】
0003204414.tif 000004
【図３】
0003204414.tif 000005
【図４】
0003204414.tif 000006
【図５】
0003204414.tif 000007
【図６】
0003204414.tif 000008
【図７】
0003204414.tif 000009
【図８】
0003204414.tif 000010
【図９】
0003204414.tif 000011
【図１０】
0003204414.tif 000012
【図１１】
0003204414.tif 000013
【図１２】
0003204414.tif 000014
【図１３】
0003204414.tif 000015